(57)【特許請求の範囲】
【請求項１】
泥水が投入される主水槽の上部に原動機により回転駆動されるように主軸を水平に支持し、該主軸に大径の回転バケット盤とこれより小径の原動スプロケットとを隣接状に固設し、該回転バケット盤は外周部に複数の掻上バケットが環状に配置されていて前記主軸が回転することにより主水槽中に沈んだ砂を掬い上げるとともに、主水槽の一側を拡張して形成した拡張水槽にオーバーフロー排水樋と水中スプロケットを設け、前記原動スプロケットと該水中スプロケットに掻寄板が定間隔に取着された循環チェーンを巻き掛けし、前記主軸の回転により該掻寄板が拡張水槽の底面を這うように移動し微砂が主水槽に掻き寄せられるようにしたことを特徴とした砂分級機。
【請求項２】
拡張水槽の上部に空中スプロケットを設け、循環チェーンを該空中スプロケットに巻き掛けすることにより該循環チェーンがオーバーフロー排水樋の上部を通って拡張水槽中に導かれるようにしたことを特徴とする請求項１に記載の砂分級機。
【発明の詳細な説明】
【０００１】
【発明の属する技術分野】
本発明は、泥水中の砂を分離回収するための砂分級機の構造に関するものである。
【０００２】
【従来の技術】
砂分級機には、特開昭５７ー３２７４０号公報に示されたような振動式、あるいは、特開平１ー２９７１５６号公報に示されたドラム式、等の種々の形態のものが従来からある。
【０００３】
【発明が解決しようとする課題】
しかし従来の砂分級機は、微砂が回収されないなど分級能力が十分でないとともに、製造コストが高くなるなどの問題がある。従って、分級能力とその製造コスト、即ち、コストパフォーマンスのさらなる向上が望まれていた。
そこで本発明は、分級能力が優れ、製造コストが軽減され、省エネルギーともなり得る砂分級機を提供しようとするものである。
【０００４】
【課題を解決するための手段】
そのために本発明に係る砂分級機は、泥水が投入される主水槽の上部に原動機により回転駆動されるように主軸を水平に支持し、該主軸に大径の回転バケット盤とこれより小径の原動スプロケットとを隣接状に固設し、該回転バケット盤は外周部に複数の掻上バケットが環状に配置されていて前記主軸が回転することにより主水槽中に沈んだ砂を掬い上げるとともに、主水槽の一側を拡張して形成した拡張水槽にオーバーフロー排水樋と水中スプロケットを設け、前記原動スプロケットと該水中スプロケットに掻寄板が定間隔に取着された循環チェーンを巻き掛けし、前記主軸の回転により該掻寄板が拡張水槽の底面を這うように移動し微砂が主水槽に掻き寄せられるようにしたことを特徴とする。
また、本発明は上記砂分級機において、拡張水槽の上部に空中スプロケットを設け、循環チェーンを該空中スプロケットに巻き掛けすることにより該循環チェーンがオーバーフロー排水樋の上部を通って拡張水槽中に導かれるようにしたことを特徴とする。
【０００５】
【発明の実施の形態】
次に本発明の実施の形態を図面に従い説明する。図１は本発明に砂分級機の平面図、図２はそのＡ−Ａ線断面図、図３はそのＢ−Ｂ線断面拡大図、図４はＣ−Ｃ線断面拡大図である。図中、１は主水槽である。２は図３に示すように該主水槽１の両側に樹立した支柱３，３上に軸受４，４を設け該軸受により水平に支持した主軸で、該主軸２の一端にホイール５を設け、原動機（モータ）６のプーリ７と該ホイール５とに無端チェーン８を巻き掛けし、原動機６により該主軸２が回転駆動されるようにしている。
【０００６】
該主軸２には、大径の回転バケット盤１０と、これより小径の原動スプロケット２０とが隣接状に固設される。即ち、該回転バケット盤１０は、主軸２の外周に溶接等により固着した円盤１１の外周部に透水性のある多孔状鉄板によって形成された複数の掻上バケット１２を定間隔に環状に配置してなり、主軸２が図示矢印の方向に回転することにより該掻上バケット１２が主水槽中に沈んだ砂を掬い上げる。
【０００７】
１３は種々の粒度の砂を含んだ泥水が投入される投入口、１４は該投入口に投入された泥水を主水槽１中に浸水している掻上バケット１２上の流落させる傾斜状の流入樋である。また１５は該流入樋の上方に設けられ前記掻上バケット１２により掬い上げられた砂を受ける脱水フルイで、該脱水フルイ１５は傾斜状に支持されその底面に透水網１６が張設されているとともに、振動モータ１７が設けられ、該振動モータの作動で該フルイを振動させることで砂に含まれている水分を該流入樋１４上に落下させる。１８は該脱水フルイ１５上に清水を散水するシャワーノズル、１９は該脱水フルイの傾斜下部に設けられた排砂シュートである。
【０００８】
また前記原動スプロケット２０は、ホイール２１ａとホイール２１ｂとを溶接等により主軸２の外周に固着し、該各ホイールを補強用連結材２２により連結するとともに、該各ホイールの外周に爪を形成してなるものである。
【０００９】
また、３０は主水槽１の一側を拡張して形成した平坦な底面を持つ拡張水槽、３１は該拡張水槽３０の上面に桝目状に設けられたオーバーフロー排水樋、３２は該オーバーフロー排水樋の傾斜下端に形成された排水口である。３３は該拡張水槽３０の拡張端部両側壁に軸受３４を設けることにより回転自在に設けられた水中スプロケット、３５は該拡張槽の上部で該水中スプロケットの真上に軸受３６を設けることにより回転自在に設けられた空中スプロケットである。
【００１０】
また、３７は２条の無端状のチェーン部材３７ａ，３７ｂに掻寄板３８を定間隔に取着してなる循環チェーンで、該循環チェーン３７を原動スプロケット２０と水中スプロケット３３と空中スプロケット３５に巻き掛けすることにより、該循環チェーンを前記オーバーフロー排水樋３１の上部を通って拡張水槽３０中に導かれるように張設している。このため、前記主軸２が図示矢印の方向に回転することにより該掻寄板３８は図２に矢印で示したように拡張水槽３０の底面を這うように移動し、該拡張槽３０の底面に沈降した微砂が主水槽１に掻き寄せられる。３９はこうして主水槽１に掻き寄せられた微砂を回転バケット盤１０の下部に押し出すために設けられた噴水ノズルである。
【００１１】
このため、投入口１３より投入された泥水は、主水槽１から拡張水槽３０を経てオーバーフロー排水樋３１に至り排水口３２より排出される。そして原動機６を駆動源として回転バケット盤１０が回転するので、主水槽１の底に沈降した泥水中の砂は回転バケット盤１０の各掻上バケットにより掬い上げられ、脱水フルイ１５を通り排砂シュート１９に排出される。また、泥水中の微砂は拡張水槽３０にて沈降し、同じく原動機６を駆動源として循回動する循環チェーン３７の掻寄板３８により主水槽１に掻き寄せられ、回転バケット盤１０の各掻上バケットにより掬い上げられる。
【００１２】
そして、この砂分級機では、拡張水槽３０の上部に空中スプロケット３５を設け、循環チェーン３７を該空中スプロケットに巻き掛けすることにより該循環チェーンがオーバーフロー排水樋３１の上部を通って拡張水槽中に導かれるようにしたので、帰戻りする掻寄板３８が泥水を撹拌し微砂の沈降を妨げるようなおそれがない。このため微砂の回収率が非常によくなる利点がある。また、図示しないが、オーバーフロー排水樋３１の下面より整流板を垂下状に設けることで、該拡張水槽３０中における泥水の無用な流動が抑えられるようにし、微砂が沈降し易い環境とするのもよい。
【００１３】
また、拡張水槽３０は面積が大きいほど泥水中の微砂をより多く沈降させることができ処理能力が上がるので、本発明ではそうした需要に対し、該拡張水槽３０をさらに長手方向に延設し、循環チェーン３７を長くするだけで容易に応じることができる利点がある。
【００１４】
なお、図５に示した砂分級機は、主軸２に２つの回転バケット盤１０ａ，１０ｂ、および、原動スプロケット２０を設け、１台の原動機６により該回転バケット盤１０ａ，１０ｂおよび原動スプロケット２０が回転駆動されるように構成したもので、該砂分級機では、投入口１３に投入した泥水が一方の回転バケット盤１０ａの主水槽１ａに流入し、該回転バケット盤１０ａの各掻上バケットにより掬い上げられた砂が傾斜状の移動樋４０に受けられて他方の回転バケット盤１０ｂの主水槽１ｂに流入し、該回転バケット盤１０ｂの各掻上バケットにより掬い上げられた砂が脱水フルイ１５上に排出される。その他の構成は図１のものと同様である。なお、４１は該移動樋４０上に清水を散布するシャワーノズルで、該清水により砂に付着している泥が洗い流されるようにしている。こうして砂をシャワーノズル４１とシャワーノズル１８とによって２度洗いされるようにすることで、製品中の泥分含有率をより低くすることができる。そしてこの砂分級機でも唯一の原動機６により２つの回転バケット盤１０ａ，１０ｂ、および循環チェーン３７が駆動されるようにしている。
【００１５】
【発明の効果】
このように本発明の砂分級機は、１台の原動機により、砂を掬い上げる回転バケット盤と、微砂を掻き寄せる循環チェーンとを駆動できるようにしたので、構造が簡略化され製造コストが軽減され省エネルギーともなり得るとともに、微砂を回収する能力が十分に発揮される。従ってコストパフォーマンスの良い砂分級機を提供できるようにする有益な効果がある。
【図面の簡単な説明】
【図１】本発明に係る砂分級機の実施形態を示す平面図。
【図２】図１のＡ−Ａ線断面図。
【図３】図１のＢ−Ｂ線断面拡大図。
【図４】図１のＣ−Ｃ線断面拡大図。
【図５】本発明に係る砂分級機の他の実施形態を示す平面図。
【符号の説明】
１        主水槽
２        主軸
６        原動機
１０      回転バケット盤
１２      掻上バケット
１３      泥水投入口
１５      脱水フルイ
２０      原動スプロケット
３０      拡張水槽
３１      オーバーフロー排水樋
３３      水中スプロケット
３５      空中スプロケット
３７      循環チェーン
３８      掻寄板
【図１】
0004190623.tif 000002
【図２】
0004190623.tif 000003
【図３】
0004190623.tif 000004
【図４】
0004190623.tif 000005
【図５】
0004190623.tif 000006